【手続補正書】
【提出日】平成18年10月13日(2006.10.13)
【手続補正１】
【補正対象書類名】明細書
【補正対象項目名】特許請求の範囲
【補正方法】変更
【補正の内容】
【特許請求の範囲】
【請求項１】
インクを噴射しない鼻部分を持ち、走査軸に沿って往復運動するインクジェット・プリントヘッド・カートリッジを備え、該カートリッジはそこから延びる線形アレイに配列されたインク噴射ノズルを含むオリフィス板を持ち、オリフィス板が第１の平面を画定し、鼻部分が第１の平面に対して直角な第２の平面を画定し、
棚を持ち、走査軸に対して直行する方向で休止位置および拭き取り位置の間を移動するパレットと、
棚に収納される基部と、
パレットが拭き取り位置において静止している間に走査軸に沿ったカートリッジの運動を通してカートリッジのインクを噴射しない鼻部分からインク残滓を拭き取るため基部によって支持される鼻ワイパーと、を備え、鼻ワイパーが前記線形アレイに対して垂直な方向に鼻部分だけを拭き取るインクジェット印刷機構。
【請求項２】
前記ワイパーは向かい合った長方形拭き取りエッジを持つエラストマー材料のブレードを備える、請求項１記載のインクジェット印刷機構。
【請求項３】
ブレードの拭き取りエッジが前記基部によって直立した方向に支持される、請求項１記載の１記載のインクジェット印刷機構。
【請求項４】
インクを噴射しない鼻部分を持ち、走査軸に沿って往復運動するインクジェット・プリントヘッド・カートリッジと、
棚を持ち、走査軸に対して直行する方向で休止位置および拭き取り位置の間を移動するパレットと、
棚に収納される基部と、
パレットが拭き取り位置において静止している間に走査軸に沿ったカートリッジの運動を通してカートリッジのインクを噴射しない鼻部分からインク残滓を拭き取るため基部によって支持される鼻ワイパーと、を備え、
前記カートリッジが、それを通じて延びるインク噴射ノズルを画定する接続部分およびオリフィス板部分を持ち、カートリッジの鼻部分がカートリッジの接続部分およびオリフィス板部分を結び付ける、インクジェット印刷機構。
【請求項５】
カートリッジの接続部分が、第１の平面を画定し、カートリッジの鼻部分が第１の平面の範囲内に位置する、請求項４記載のインクジェット印刷機構。
【請求項６】
インクジェット式印刷機構におけるインクジェット・プリントヘッド・カートリッジのインクを噴射しない鼻部分からインク残滓をクリーニングする方法であって、
前記カートリッジがそこから延びる線形アレイに配置されたインク噴射ノズルを含むオリフィス板を持ち、オリフィス板が第１の平面を画定し、鼻部分が第１の平面に対して直角な第２の平面を画定し、
拭き取り位置に鼻ワイパーを移動させるステップと、
前記鼻ワイパーに前記カートリッジの鼻部分を接触させるステップ
前記線形アレイに対して垂直な方向に鼻ワイパーを横切って前記カートリッジを往復運動させ、その一方で前記カートリッジの鼻部分からインク残滓を拭き取る間の拭き取り位置にいる、往復運動ステップと、を含む方法。
【請求項７】
前記接触させるステップは、前記鼻ワイパーに接触するように前記カートリッジを移動させるステップを含む、請求項６記載の方法。
【請求項８】
前記鼻ワイパーは向かい合った長方形拭き取りエッジを持つエラストマー材料のブレードを備え、前記ブレードの拭き取りエッジを直立した方向に支持するステップを更に含む、請求項６記載の方法。
【請求項９】
前記移動させるステップは、前記鼻ワイパーを第１の方向に移動させることを含み、
前記往復運動ステップは、前記カートリッジを第１の方向に垂直の他の方向で往復運動させることを含む、請求項６記載の方法。
【請求項１０】
前記往復運動ステップに続いて鼻ワイパーを前記拭き取り位置から他方の位置まで移動させるステップを含む、請求項６記載の方法。
【手続補正２】
【補正対象書類名】明細書
【補正対象項目名】００８８
【補正方法】変更
【補正の内容】
【００８８】
本発明には、例として次のような実施様態が含まれる。
(1)インクジェット式印刷機構におけるインクジェット・プリントヘッド・カートリッジのインクを噴射しない鼻部分からインク残滓をクリーニングする鼻ワイパーであって、休止位置と拭き取り位置の間を移動する基部と、基部が拭き取り位置において静止している間にカートリッジの運動を通してカートリッジのインクを噴射しない鼻部分からインク残滓を拭き取るため基部によって支持されるワイパーと、を備える鼻ワイパー。
(2)カートリッジがそこから延びる線形アレイに配列されたインク噴射ノズルを含むオリフィス板を持ち、オリフィス板が第１の平面を画定し、鼻部分が第１の平面に対して実質的に直角な第２の平面を画定し、鼻ワイパーが上記線形アレイに対して実質的に垂直な方向に鼻部分を拭き取る、前記(1)に記載の鼻ワイパー。
(3)向かい合った長方形拭き取りエッジを持つエラストマー材料のブレードを更に備える、前記(1)に記載の鼻ワイパー。
(4)ブレードの拭き取りエッジが基部によって実質的に直立した方向に支持される、前記(1)に記載の鼻ワイパー。
(5)休止位置と拭き取り位置の間の運動を行えるように基部を収納する棚を画定する移動可能なパレットを有するサービス・ステーションを備えるインクジェット印刷機構において使用される前記(1)に記載の鼻ワイパー。
【手続補正３】
【補正対象書類名】明細書
【補正対象項目名】００９０
【補正方法】変更
【補正の内容】
【００９０】
(8)ワイパーが、向かい合った長方形拭き取りエッジを持つエラストマー材料のブレードを含む、前記(6)に記載のインクジェット印刷機構。
(9)ブレードの拭き取りエッジが基部によって実質的に直立した方向に支持される、前記(6)に記載のインクジェット印刷機構。
(10)カートリッジが、それを通じて延びるインク噴射ノズルを画定する接続部分およびオリフィス板部分を持ち、カートリッジの鼻部分がカートリッジの接続部分およびオリフィス板部分を結び付ける、前記(6)に記載のインクジェット印刷機構。
(11)カートリッジの接続部分が、第１の平面を画定し、カートリッジの鼻部分が実質的に第１の平面の範囲内に位置する、前記(10)に記載のインクジェット印刷機構。
【手続補正４】
【補正対象書類名】明細書
【補正対象項目名】００９１
【補正方法】変更
【補正の内容】
【００９１】
(12)インクジェット式印刷機構におけるインクジェット・プリントヘッド・カートリッジのインクを噴射しない鼻部分からインク残滓をクリーニングする方法であって、拭き取り位置に鼻ワイパーを移動させるステップと、鼻ワイパーにカートリッジの鼻部分を接触させるステップと、上記接触ステップにおいて拭き取り位置にいる間にカートリッジの鼻部分からインク残滓を拭き取るため鼻ワイパーに対してカートリッジを往復運動させるステップと、を含む方法。
(13)上記接触ステップが鼻ワイパーに接触するようにカートリッジ移動させるステップを含む、前記(12)に記載の方法。
(14)インクジェット・プリントヘッド・カートリッジがそこから延びる線形アレイに配列されたインク噴射ノズルを含むオリフィス板を持ち、オリフィス板が第１の平面を画定し、鼻部分が第１の平面に対して実質的に直角な第２の平面を画定し、鼻ワイパーが上記線形アレイに対して実質的に垂直な方向に鼻部分を拭き取る、前記(12)に記載の方法。
(15)鼻ワイパーが向かい合った長方形拭き取りエッジを持つエラストマー材料のブレードを備える、前記(12)に記載の方法。
(16)上記移動ステップが、第１の方向に鼻ワイパーを動かすステップを含み、上記往復ステップが、上記第１の方向に実質的に垂直な別の１つの方向にカートリッジを往復運動させるステップを含む、前記(12)に記載の方法。
(17)上記往復運動に続いて、拭き取り位置から別の位置へ鼻ワイパーを動かすステップを更に含む、前記(12)に記載の方法。